【事件の表示】
　平成１１年特許願第３３３７５１号「ゴルフクラブヘッド」拒絶査定不服審判事件〔平成１３年　６月　５日出願公開、特開２００１−１４９５１１〕について、次のとおり審決する。
【結　論】
　本件審判の請求は、成り立たない。
【理　由】
【１】手続の経緯・本願発明
　本願は、平成１１年１１月２５日の出願であって、平成１５年５月２０日付けで拒絶の理由が通知され、平成１５年７月２４日受付で手続補正がなされ、平成１５年８月１２日付けで拒絶査定がなされ、これに対し、同年９月１８日に拒絶査定に対する審判請求がなされた。
　本願の請求項１〜４に係る発明は、特許請求の範囲の請求項１〜４に記載された事項により特定されるとおりのものであり、そのうち請求項４は、請求項１乃至請求項３のいずれかを引用するものであり、請求項１を引用する請求項４に係る発明は、以下に記載するものと認められる。
（請求項１を引用するいわゆる従属形式の請求項４から、独立形式の請求項となるように記載した。）
「【請求項４】鋳造で成形される中空な外殻体からなるヘッド本体内のヒール側に、ヘッド本体のソール部に達して、その底部はソール部と同一の肉厚とされている有底のシャフト止着孔を有するシャフト止着部をヘッド本体のトップ部からソール部に亘って同一外径で一体に設けると共に、当該シャフト止着部とヘッド本体のヒール壁との間に中空部を設けたことを特徴とするゴルフクラブヘッド。」（以下、「本願発明」という。）
　
【２】本願出願前に頒布された刊行物に記載された発明
（１）これに対して、原査定の拒絶の理由に引用された、特開平１０−１５１１８号公報（以下、「刊行物１」という。）には次の記載がある。
「【請求項１】シャフトを取り付けるネック部が形成され、内部が中空部とされる金属製のゴルフクラブヘッドにおいて、前記ネック部は、少なくとも全長の半分以上を前記中空部内に収めた状態で形成されたことを特徴とするゴルフクラブヘッド。【請求項２】前記ネック部は、その全長の全てを前記中空部内に収めた状態で形成されたことを特徴とする請求項１記載のゴルフクラブヘッド。【請求項３】前記ゴルフクラブヘッドは、フェイス部材と、このフェイス部材の周縁部に溶接されて前記中空部を形成する中空部材とから構成され、前記ネック部は、当該フェイス部材及び当該中空部材のいずれか一方と一体に形成されたことを特徴とする請求項１又は２記載のゴルフクラブヘッド。【請求項４】前記ネック部は、前記フェイス部材及び前記中空部材のいずれか一方に、その上面から下方に向けて筒状に突出させて形成されたことを特徴とする請求項３記載のゴルフクラブヘッド。」
「【００１９】【発明の実施の形態】以下、本発明の実施の形態を図１から図７を参照して説明する。図１は、この発明を適用したクラブヘッドＡ（メタルヘッド）であって、該クラブヘッドＡは、フェイス部材１と中空部材２とから構成され、この両者を接合することにより内部に中空部１６を形成するようにしている。このフェイス部材１は、例えば熱間型鍛造加工によりβ型チタン合金で形成されたものであって、シャフトＳを取り付けるネック部３と一体に成形されている。【００２０】そして、図２に示すように、フェイス部材１は、前面をフェイス面とし、その後方に向けて環状に延出するように形成されており、この延出部分は、ネック部３の径より大きなほぼ一定の幅をもって形成されている。ただし、フェイス部材１を熱間型鍛造加工によりβ型チタン合金で形成するか否かは任意であり、例えば他の金属（ステンレス等）で精密鋳造法（ロストワックス法）により形成するようにしてもよい。…【００２１】また、ネック部３は、図２及び図３に示すように、フェイス部材１の上面８から下方に向けて側面６に沿って筒状部５を形成するとともに、この筒状部５の上方から挿入孔１０を設けることによって形成されている。従って、挿入孔１０の開口部４からシャフトＳを差し込んで接着剤等で固定することによって、シャフトＳをフェイス部材１に取り付けることができるようにしている。この場合、ネック部３を補強するため、筒状部５の下端と他の部分との間、例えば側面６との間の一部や、フェイス裏面７との間の一部、もしくはソール部分との間に、これら両者間を連結片等で連結するようにしてもよい。」
「【００２５】また、中空部材２は、例えば精密鋳造法（ロストワックス法）により、チタン合金で形成されたものであり、上部を形成するクラウン部と、側部を形成するサイド部と、底部を形成するソール部とが一体に形成されている。そして、中空部材２は、フェース部材１の延出部分の縁部９に対して突き合わせて溶接することによりフェイス部材１と中空部材２とを一体化し、その内部に中空部１６を形成するようにしている。ただし、中空部材２を精密鋳造法で形成するか否かは任意であり、例えば熱間型鍛造法により形成してもよく、さらに、中空部材２の材質として他の金属（ステンレス等）を用いるようにしてもよい。」
「【００３０】次に、図７に示すゴルフクラブヘッドＤのように、ネック部３をフェイス部材１に代えて、中空部材２ｂと一体に形成するようにしてもよい。この場合、ネック部３は、中空部材２ｂの上面１５から下方に向けて側面に沿って筒状部５を形成するとともに、この筒状部５の上方から挿入孔１０を設けることによって形成されている。【００３１】従って、図１に示すものと同様に、挿入孔１０の開口部４からシャフトＳを差し込んで接着剤等で固定することによって、シャフトＳを中空部材２ｂに取り付けることができるようにしている。この場合、ネック部３を補強するため、筒状部５の下端と他の部分との間、例えば側面６との間の一部や、フェイス裏面７との間の一部、もしくはソール部分との間に、これら両者間を連結片等で連結するようにしてもよいことは、上述と同様である。【００３２】また、図７に示すのネック部３は、その全長の大部分を中空部１６内に収めるように設定され、開口部４が上面１５に形成されるものの、ゴルフクラブヘッドの外観からは目視できないように設定されている。従って、ゴルフクラブヘッドＤにおいても、ネック部３に要する重量を下方に位置させることができ、全体重量を変えることなく、重心位置を低く設定できる点や、ネック部３を筒状部５とすることにより、シャフトＳを取り付けるのに必要な材料を少なくでき、ヒール側の重量を軽くすることができる点は、ゴルフクラブヘッドＡと同様である。【００３３】さらに、このネック部３として、筒状部５を形成することに代えて、図４に示すように、中空部材２ｂの側面から隆起部分を設けてネック部３を形成するようにしてもよい。これにより、中空部材２ｂとネック部３との間の剛性を高めることができる点は同様である。【００３４】そして、この中空部材２ｂの縁部１４にフェイス部材１ｂを突き合わせて溶接することにより、中空部１６を形成した状態でゴルフクラブヘッドＤが完成する。このように、ネック部３をフェイス部材１及び中空部材２のいずれに形成するかは任意であり、また、そのネック部３も、その全長の半分以上を中空部１６内に収めるものであればその形態を任意に設定することができるものである。」
　そして、図７をみると、ネック部３は中空部材２ｂの上面１５からソール部分の方向にネック部３を同一外径で設けたものであり、中空部材２ｂの側面から隆起部分を設けてネック部３を形成（【００３３】）しないネック部３（筒状部５）からなり、ネック部３（筒状部５）の下端と側面６との間にこれら両者間を連結片で連結するようにしてもよい（【００３１】）ものであるから、ここを連結しない場合には、図２、３と同様な、ネック部３（筒状部５）と側面６との間に間隙（本願明細書【０００７】参照）を設けたものであることは明らかである。
　そうすると、上記記載、図面及び当業者の技術常識から刊行物１には、図７に係る実施例として、以下の発明が記載されていると認められる。
「鋳造で成形される中空部１６を有する中空部材２ｂ内のヒール側に、有底の挿入孔１０を有するネック部３を中空部材２ｂの上面１５から下方に向けて側面に沿って筒状部５により形成し、同一外径で一体に設けると共に、当該ネック部３と中空部材２ｂの側面６との間に間隙を設け、筒状部５の下端とソール部分との間を連結片で連結したゴルフクラブヘッドD。」
　
（２）同じく、特開平１１−１６９４９０号公報（以下、「刊行物２」という。）には以下の記載がある。
「【請求項１】シャフト２が挿入されるネック孔６が、ヘッドソール面４との間に底壁部５が残る深さまで、ネック３上端面から盲孔状に形成されて、該ネック孔６へ挿入したシャフト２の外周面と該ネック孔６の内周面６ａ、及び、該シャフト２の先端面２ａと上記底壁部５の上面を、夫々接着したことを特徴とするゴルフクラブ。【請求項２】ヘッド１が金属製かつ中空のウッド型とされ、かつ、ネック孔６の底面６ｂを成す底壁部５が、ソール壁部９の一部にて構成されている請求項１記載のゴルフクラブ。」
「【００１０】図１は、本発明に係るゴルフクラブの実施の一形態を示し、１は金属製かつ中空のウッド型のヘッド、２はシャフトであり、３はネック、４はソール面、６はシャフト２が挿入されるネック孔である。しかして、ネック孔６を、ヘッドソール面４との間に底壁部５が残る深さまで、ネック３上端面から盲孔状に形成する。【００１１】具体的には、図２の拡大断面図に示すように、ヘッド１の中空部11内のネック寄り位置に、ネック孔６の一部を形成する内壁部12を、ヘッド１のクラウン壁部７からソール壁部９にわたって形成する。かつ、ネック孔６の底面６ｂを成す底壁部５を、ソール壁部９の一部にて構成する。即ち、底壁部５は、ソール壁部９の内、ネック孔６の底面６ｂに対応する部分から成る。」
「【００１３】そして、ネック孔６へ挿入したシャフト２の外周面とネック孔６の内周面６ａ、及び、シャフト２の先端面２ａと底壁部５の上面を、夫々接着する。これにより、シャフト２の外周面とネック孔６の内周面６ａの間、及び、シャフト２の先端面２ａと底壁部５の上面（ネック孔６の底面６ｂ）の間に、接着剤層10が形成される。【００１４】上述のように構成したことにより、ネック孔６の深さＣを十分大きく維持したまま、ネック３のクラウン壁部７から斜め上方突出寸法Ａとネック長さＢを３〜５０mm程度短くすることができる。【００１５】さらに、接着強度を十分大きく維持できる。即ち、ネック孔６の深さＣが十分大きいので、シャフト２の外周面とネック孔６の内周面６ａの間の接着面積が十分大きくなり、その上、シャフト２の先端面２ａとネック孔６の底面６ｂの間にも接着剤層10が生じ、かつ、先端面２ａがシャフト軸心Ｌに対して傾斜している分、先端面２ａの面積（接着面積）が大きくなるからである。」　
　
【３】対比・判断
（１）本願発明と刊行物１記載の発明を対比すると、刊行物１記載の発明の「中空部１６を有する中空部材２ｂ」は本願発明の「中空な外殻体からなるヘッド本体」に相当し、以下同様に、「挿入孔１０」は「シャフト止着孔」に、「ネック部３」は「シャフト止着部」に、「上面１５」は「トップ部」に、「側面６」は「ヒール壁」に、「間隙」は「中空部」に、相当する。そして、刊行物１記載の発明の「上面１５から下方に向けて側面に沿って」は本願発明の「トップ部からソール部に亘って」と「トップ部からソール部の方向に」で共通するから、両者は、
「鋳造で成形される中空な外殻体からなるヘッド本体内のヒール側に、有底のシャフト止着孔を有するシャフト止着部をヘッド本体のトップ部からソール部の方向に同一外径で一体に設けると共に、当該シャフト止着部とヘッド本体のヒール壁との間に中空部を設けたゴルフクラブヘッド。」である点で一致し、以下の点で相違している。
［相違点］
　シャフト止着部が本願発明は、ヘッド本体のソール部に達して、その底部はソール部と同一の肉厚とされているシャフト止着孔を有し、ヘッド本体のトップ部からソール部に亘って設けられるのに対し、刊行物１記載の発明は、上面１５から下方に向けて側面に沿って設けられ、筒状部５の下端とソール部分との間を連結片で連結した点。　
　
（２）上記相違点について検討する。
　刊行物２記載の発明には、ゴルフクラブにおいて、金属製かつ中空のヘッド１（本願発明の「ヘッド本体」に相当）のソール壁部９に達して、その底部はソール壁部９の一部を構成する底壁部５とされたネック孔６（本願発明の「ソール部に達して、ソール部と同一の肉厚とされているシャフト止着孔」に相当）を有し、ヘッド１のクラウン壁部７からソール壁部９にわたってネック孔６（本願発明の「トップ部からソール部に亘ってシャフト止着孔」に相当）を設ける点が記載されており、刊行物１記載の発明の上面１５から下方に向けて側面に沿って設けられ、筒状部５の下端とソール部分との間に連結片で連結したシャフト止着部に代えて、刊行物２記載の発明のヘッド本体のソール部に達して、その底部はソール部と同一の肉厚とされているシャフト止着孔を有し、ヘッド本体のトップ部からソール部に亘ってシャフト止着部を設ける点を採用することは、刊行物１、２記載の発明が共に、ゴルフクラブヘッドという同一の技術分野に属するものであるから、何ら困難性はなく、本願発明の上記相違点に係る構成とすることは、当業者が容易に想到できたことにすぎない。
　
　そして、本願発明が奏する作用効果も刊行物１、２記載の発明から当業者が予測し得る範囲を超えるような格別なものではない。
　
【４】むすび
　以上のように、本願発明は、刊行物１、２に記載された発明に基づいて当業者が容易に発明をすることができたものであるから、特許法第２９条第２項の規定により特許を受けることができないものであり、他の請求項に係る発明について検討するまでもなく、本願は拒絶すべきものである。
　
　よって、結論のとおり審決する。